(57)【特許請求の範囲】
【請求項１】
軸筒の後部に尾栓を有し、また、軸筒の後方にクリップが固定されたクリップの軸筒への取り付け構造であって、前記クリップを固定部と挾持部とより構成し、前記固定部は挾持部の上方部をＬ字型に屈曲せしめることによって形成すると共に、前記尾栓と、前記固定部と屈曲部との間に形成される連結部との間に隙間を形成し、また、前記軸筒の上部に内面鍔部を形成し、その内面鍔部と前記クリップの固定部を尾栓と、前記軸筒に挿入された固定部材よって圧接・挟持し固定したことを特徴とするクリップの軸筒への取り付け構造。
【発明の詳細な説明】
【０００１】
【発明の属する技術分野】
本発明は、尾栓を軸筒に固定させることによってクリップをも軸筒へ固定させるクリップの軸筒への取り付け構造に関する。
【０００２】
【従来の技術】
１例として、実開平７−４０１９１号公報がある。その公報の実用新案登録請求の範囲には、「キャップ１の天面における開口縁の所要位置に切欠部を設けると共に、キャップの天面とキャップに接合される天冠とによって挟着されるクリップの取付座上記の切欠部に嵌合する切り起し部を設けたことを特徴とするクリップ取付構造。」と記載されている。
そして、第３図には前記請求の範囲に基づく断面図が記載されている。その断面図を基に詳述すると、キャップ１の内側には、面を同じくしてネジ管８が固定されており、その端部には、Ｌ字型に屈曲されたクリップ５の取付座６が当接しており、天冠４の鍔部１０の（内側）全周面によって圧接され、キャップ１に固定されている。
【０００３】
【発明が解決しようとする課題】
上記従来技術にあっては、取付座６と屈曲部との間に形成される連結部の中間部が、キャップ端部と天冠の鍔部端部とで強固に挾持されている。然してこの様なクリップの取り付け構造においては、クリップを拡開させ（クリップとキャップとの間に紙などを挾持させるときなど）、クリップをキャップから持ち上げようとすると、その応力が前記屈曲部に集中してしまい、耐久性に欠けるものであった。つまり、クリップ（屈曲部）の弾性力（復元力）が弱まり常に、拡開した状態になってしまったり、強いては屈曲部からクリップが折れてしまう場合もあった。
尚、前記のクリップに焼き入れ加工を施し、次いでバレル研磨後にアニ−リングを施せば耐久性を向上させることも出来るが、作業工程が増え製品の価格を高騰させてしまうものであった。
【０００４】
【課題を解決するための手段】
本発明は、上記問題点に鑑みてなされたものであり、軸筒の後部に尾栓を有し、また、軸筒の後方にクリップが固定されたクリップの軸筒への取り付け構造であって、前記クリップを固定部と挾持部とより構成し、前記固定部は挾持部の上方部をＬ字型に屈曲せしめることによって形成すると共に、前記尾栓と、前記固定部と屈曲部との間に形成される連結部との間に隙間を形成し、また、前記軸筒の上部に内面鍔部を形成し、その内面鍔部と前記クリップの固定部を尾栓と、前記軸筒に挿入された固定部材よって圧接・挟持し固定したことを要旨とする。
【０００５】
【実施例】
図１〜図４に第１例を示し説明する。本例における軸筒１は、具体的には、キャップ式シャ−プペンシルのキャップである。軸筒１の前方部は、シャ−プペンシルの本体部分（図示せず）が嵌入する装着部２となっている。また、軸筒１の後端より若干前方の内面には、内面鍔部３が形成されており、その内面鍔部３には対向した２箇所の位置に切欠き部４、５が形成されている。その切欠き部４、５の一方の切欠き部５は、前記軸筒１の側面にまで形成されている。この側面の切欠き部５ａが後述するクリップの幅を有している。つまり、切欠き部５ａとクリップとの幅を略同一にすることにより、クリップの径方向に対する回転（振れ）防止を行っているのである。
【０００６】
次に、前記軸筒１に固定されているクリップ６について説明する。挾持部７の両側部には、側壁７ａが形成されており、前方内面には前記軸筒１の側面に当接する玉部８が一体、或は、別体として取り付けられている。また、挾持部７の後部には、略９０度に折り曲げられ屈曲部９が形成されており、その屈曲部９からは、連結部１０を介して前記軸筒１に固定される固定部１１が形成されているが、その固定部１１は前記連結部１０より若干下方に折り曲げられ、連結部１０より１段下方の位置に形成されている。また、固定部１１には、固定孔１２が形成されており、前記尾栓１３の圧入部１４が挿通している。
前記尾栓１３の圧入部１４の上方には、天冠部１５が形成されており、その天冠部１５の下面には、前記軸筒１の内径と略同等の外径を有する小径段部１６が形成されている。そして、その小径段部１６の周縁部１６ａは、前記クリップ６の連結部１０と固定部１１との段部１０ａ部分に当接している。つまり、連結部１０の上方には、前記小径段部１６の高さによって形成される隙間１７が存在している。
尚、クリップ６は、前記軸筒１の上部に形成されている内面鍔部３の切欠き部４、５から固定部１１が挿入され、その固定部１１の上面が前記内面鍔部３の下面に圧接されることによって固定されている。その圧接の方法としては、尾栓１３の圧入部１４へ、軸筒１の下方から挿入される固定部材１８の圧入によってなされる。つまり、クリップ６の固定部１１と内面鍔部３は、前記尾栓の小径部１６の周縁部１６ａと固定部材１８の鍔部１８ａとによって挾持された状態で固定されている。
以上、本例においては、尾栓１３に小径段部１６を形成することによって全周に隙間を形成したが、図６、図７に示すように、頭冠部１５の下面の１部分、連結部１０が位置する箇所に凹部１９を形成し、隙間２０を存在させても良い。隙間２０（１７）が全周に存在することがなくなり、外観の見栄えが良くなるものである。
また、本例においては、クリップ６の固定部１１を尾栓１３などによって軸筒１に固定したが、クリップ６の固定部１１を円柱状に形成し、直接、軸筒１に圧入などの手段によって固定しても良い。勿論、クリップ６の連結部１０の上方には隙間が形成されているものである。
【０００７】
【作用】
クリップ６と軸筒１の間に衣類などを挾み込もうと、前記クリップ６の挾持部７を持ち上げると、その挾持部７は、前記尾栓１３の周縁部１６ａと連結部１０の段部１０ａとの当接部分を支点とし、前記連結部１０が隙間１７の方向に湾曲することによって持ち上げられる。勿論、このとき、クリップ６の屈曲部９も多少広がる方向に湾曲する。こうして、挾持部７を持ち上げた際の応力集中を前記連結部１０や屈曲部９に分散している（図５参照）。
尚、本例の様に、挾持部７の側面に側壁７ａが形成されているようなクリップにおいては、挾持部分７が湾曲しにくく、屈曲部に応力が集中してしまうため、特に、有効な手段である。
【０００８】
第２例を図８、図９に示し説明する。クリップ２１の連結部２２と固定部２３との結合部分には、内側に折り曲げられた小突起２４が形成されている。一方、軸筒２５の上端面の１部分には、前記小突起２４が係合し、クリップ２１の回転を防止する凹部２６が形成されている。
また、前記軸筒２５には尾栓２７は圧入されているが、螺合などの固定方法であっても良い。その尾栓２７の圧入部２８の上方部は、天冠部２９が形成されており、その天冠部２９の下面には、前記圧入部２８よりも大径であるが、天冠部２９よりも小径の小径部３０が形成されている。そして、その小径部３０の下面によって前記クリップ２１の固定部２３を軸筒２５の上端部に圧接・固定しており、小径部３０の高さ分、前記連結部２２上方の隙間３１を形成している。
【０００９】
次に作用について説明する。前例の様にクリップ２１を持ち上げると、その連結部２２が隙間３１の方向に湾曲すると共に、屈曲部３２も変形する。
【００１０】
【発明の効果】
本発明は、軸筒の後部に尾栓を有し、また、軸筒の後方にクリップが固定されたクリップの軸筒への取り付け構造であって、前記クリップを固定部と挾持部とより構成し、前記固定部は挾持部の上方部をＬ字型に屈曲せしめることによって形成すると共に、前記尾栓と、前記固定部と屈曲部との間に形成される連結部との間に隙間を形成し、また、前記軸筒の上部に内面鍔部を形成し、その内面鍔部と前記クリップの固定部を尾栓と、前記軸筒に挿入された固定部材よって圧接・挟持し固定したので、安価に製作しながらも、クリップと軸筒との間に紙などを挾持させる際、クリップを軸筒から持ち上げても、連結部全体がしなることによって応力が分散され、もって、長期に渡って弾性力（復元力）を維持させることができる。
【図面の簡単な説明】
【図１】  本発明を示す縦半断面図。
【図２】  図１の要部拡大図。
【図３】  図１の分解斜視図。
【図４】  図１の正面要部外観図。
【図５】  作用を示す要部縦断面図。
【図６】  図１の変形例を示す正面要部外観図。
【図７】  図６の尾栓を示す斜視図。
【図８】  第２例を示す要部縦半断面図。
【図９】  図８の分解斜視図。
【符号の説明】
１      軸筒
２      装着部
３      内面鍔部
４      切欠き部
５      切欠き部
５ａ    切欠き部
６      クリップ
７      挾持部
７ａ    側壁
８      玉部
９      屈曲部
１０    連結部
１０ａ  段部
１１    固定部
１２    固定孔
１３    尾栓
１４    圧入部
１５    天冠部
１６    小径段部
１６ａ  周縁部
１７    隙間
１８    固定部材
１９    凹部
２０    隙間
２１    クリップ
２２    連結部
２３    固定部
２４    小突起
２５    軸筒
２６    凹部
２７    尾栓
２８    圧入部
２９    天冠部
３０    小径部
３１    隙間
３２    屈曲部
【図１】
0003944983.tif 000002
【図２】
0003944983.tif 000003
【図３】
0003944983.tif 000004
【図４】
0003944983.tif 000005
【図５】
0003944983.tif 000006
【図６】
0003944983.tif 000007
【図７】
0003944983.tif 000008
【図８】
0003944983.tif 000009
【図９】
0003944983.tif 000010